(57)【特許請求の範囲】
【請求項１】
筆記具本体に組み込まれ、該筆記具本体内のインキ貯留部のインキを紙面に供給する合成樹脂からなるペン体であって、
該ペン体は、対向した、一対の長辺と一対の短辺とで形成する横断面略矩形状で、前記ペン体の長手方向に延びる外周壁と、
該外周壁の内部を、前記外周壁の短辺と略平行な複数の仕切り壁により、前記外周壁の長辺方向に沿って複数に分割して設けた、前記ペン体の長手方向に延びる各インキ導出腔とからなり、
また、各インキ導出腔の内部に、一端に自由端部を備え、前記外周壁の短辺と略平行に延び、且つ前記ペン体の長手方向に延びる枝壁を設け、
前記各インキ導出腔を横切るように、前記外周壁の長辺と略平行に延び、且つ前記ペン体の長手方向に延びる連結壁を設けていることを特徴とする線引き用ペン体。
【請求項２】
前記枝壁は、その他端が前記外周壁の長辺に接続されていることを特徴とする請求項１に記載の線引き用ペン体。
【請求項３】
前記枝壁は、その他端が前記連結壁に接続されていることを特徴とする請求項１に記載の線引き用ペン体。
【発明の詳細な説明】
【技術分野】
【０００１】
本発明は、筆記具本体に組み込まれ、筆記具本体内のインキ貯留部からインキを紙面に供給する線引き用ペン体であって、特に、筆記方向によって線幅が異なる１本線を筆記可能とする合成樹脂製の線引き用ペン体に関するものである。
【背景技術】
【０００２】
例えば、筆記方向によって線幅が異なる１本線を筆記可能とする線引き用ペン体の従来技術として、特許文献１に合成樹脂製ペン先が開示されている。
すなわち、この特許文献１に開示された合成樹脂製ペン先は、矩形の周壁で囲まれる部位に、長辺方向に延びる幹状リブと、該幹状リブと交差するように幹状リブと周壁とに接続された短辺方向に延びる複数の枝状リブとを形成することによって、複数の独立した略四辺形状に形成されたインキ通路が構成されている。
そして、この合成樹脂製ペン先で筆記すると、複数の独立した各インキ通路から紙面にインキが供給されて１本線が筆記可能となる。また、筆記面の長辺側を筆記方向に指向させて筆記すれば、長辺の長さ相当の線幅を有する１本線が筆記可能であると共に、筆記面の短辺側を筆記方向に指向させて筆記すれば、短辺の長さ相当の線幅を有する１本線が筆記可能になる。
【特許文献１】実用新案登録第２５４５９０８号公報
【発明の開示】
【発明が解決しようとする課題】
【０００３】
しかしながら、特許文献１に開示された合成樹脂製ペン先では、インキが円滑に紙面に供給されず、さらには、紙面との摩擦による筆記面の摩耗量が多く、筆記の際、鮮明な線を画くことができず不都合を生じていた。
【０００４】
本発明は、かかる点に鑑みてなされたものであり、インキを円滑に紙面に供給して、鮮明な１本線を筆記可能とする線引き用ペン体を提供することを目的とする。
【課題を解決するための手段】
【０００５】
本発明は、上記課題を解決するための手段として、請求項１に記載した発明は、筆記具本体に組み込まれ、該筆記具本体内のインキ貯留部のインキを紙面に供給する合成樹脂からなるペン体であって、該ペン体は、対向した、一対の長辺と一対の短辺とで形成する横断面略矩形状で、前記ペン体の長手方向に延びる外周壁と、該外周壁の内部を、前記外周壁の短辺と略平行な複数の仕切り壁により、前記外周壁の長辺方向に沿って複数に分割して設けた、前記ペン体の長手方向に延びる各インキ導出腔とからなり、また、各インキ導出腔の内部に、一端に自由端部を備え、前記外周壁の短辺と略平行に延び、且つ前記ペン体の長手方向に延びる枝壁を設け、前記各インキ導出腔を横切るように、前記外周壁の長辺と略平行に延び、且つ前記ペン体の長手方向に延びる連結壁を設けていることを特徴とするものである。
【０００６】
請求項２に記載した発明は、請求項１に記載した発明において、前記枝壁は、その他端が前記外周壁の長辺に接続されていることを特徴とするものである。
【０００８】
請求項３に記載した発明は、請求項１に記載した発明において、前記枝壁は、その他端が前記連結壁に接続されていることを特徴とするものである。
【０００９】
従って、請求項１〜３に記載した発明では、外周壁の内部に、該外周壁の長辺方向に沿って複数区画して設けた各インキ導出腔内に、一端に自由端部を備え、外周壁の短辺と略平行に延び、且つペン体の長手方向に延びる枝壁を設けたので、各インキ導出腔が、インキを導く毛細管作用を営むような構造となり、インキが各インキ導出腔から円滑に紙面に供給される。
【発明の効果】
【００１０】
本発明によれば、横断面略矩形状の外周壁の内部に設けた各インキ導出腔が、インキを導く毛細管作用を営むような構造に形成されているので、インキが各インキ導出腔から円滑に紙面に供給されると共に、筆記面の摩耗量が少ないので、筆記の際、鮮明な１本線が筆記可能となる。
【発明を実施するための最良の形態】
【００１１】
以下、本発明を実施するための最良の形態を図１〜図６に基いて詳細に説明する。
本発明の実施の形態に係る線引き用ペン体１、１ａは、図２に示すように、合成樹脂、例えば、柔軟性と強靭さを有する熱可塑性樹脂のポリオキシメチレン、ポリアミド、ポリフッ化ビニリデン、ＥＶＡ樹脂（エチレン・酢酸ビニル共重合体）、またはポリオレフィンエラストマー、ポリエステルエラストマー、ポリアミドエラストマー等の熱可塑性エラストマー等を用い、押出成型のモノフィラメント自着方式によって、所定長さの略四角柱状に形成されたものである。そして、本線引き用ペン体１、１ａは、図１に示すように、先端の筆記面３が筆記具本体２の先端部から突出するように、筆記具本体２に組み込まれて、筆記具本体２内のインキ貯留部（図示略）のインキを紙面に供給している。
【００１２】
図３は、本発明の第１の実施の形態に係る線引き用ペン体１の横断面形状を示したものであり、ペン体１は、対向した、一対の長辺外壁４、４と、一対の短辺外壁５、５とで形成される横断面略矩形状の外周壁６と、該外周壁６の内部を、外周壁６の短辺外壁５と略平行な複数（図３では９箇所）の仕切り壁７、７により、外周壁６の長辺外壁４に沿って複数（図３では１０箇所）に分割して設けた、各インキ導出腔８、８とからなる。
各仕切り壁７、７は、外周壁６の内部に、長辺外壁４に沿って同じ間隔を開けて複数配置されて、その両端部が、一対の長辺外壁４、４のそれぞれに接続されている。そして、各仕切り壁７、７間に各インキ導出腔８、８が形成される。また、各仕切り壁７の厚みは、外周壁６の厚みの略１／２程度に形成されている。
【００１３】
また、本ペン体１の各インキ導出腔８内には、図３に示すように、枝壁１０、１０が、短辺外壁５と略平行に直線的に一対設けられている。各枝壁１０、１０は、一端を自由端部１０ａ、１０ａとして構成すると共に、他端が一対の長辺外壁４、４のそれぞれに接続され、各自由端部１０ａ、１０ａが互いに間隔を開けて向き合うように一対形成されている。また、各枝壁１０の厚みは、各仕切り壁７と略同等で、外周壁６の厚みの略１／２程度に形成されている。
なお、各インキ導出腔８の内部に設けた枝壁１０の数については、特に限定されるものではなく、図４に示すように、各インキ導出腔８内に、短辺外壁５と略平行で直線的に向き合うように配置された各枝壁１０、１０が２対形成される形態でも良い。
また、外周壁６、仕切り壁７及び枝壁１０等、本ペン体１を形成する壁は、図３から解るように、複数のモノフィラメントを自着させているので、その表面が凹凸条に形成されている。
さらに、図２に示すように、本ペン体１の筆記面３において、一対の長辺外壁４、４の部分は楔状に切削されるため、筆記面３には一対の長辺外壁４、４の面が現出されない。
【００１４】
次に、本発明の第２の実施の形態に係る線引き用ペン体１ａを図５に基いて説明する。
この第２の実施の形態に係る線引き用ペン体１ａを説明する際には、図３に示す第１の実施の形態のペン体１と相違する点を説明する。
この第２の実施の形態のペン体１ａは、図３に示す第１の実施の形態に係るペン体１に、長辺外壁４と略平行で、また、各インキ導出腔８の略中央で、一対の枝壁１０、１０の自由端部１０ａ、１０ａの間を横切り各仕切り壁７と交差するようにして延び、一対の短辺外壁５、５の略中央に接続される連結壁１１を加えた構成である。
そして、第２の実施の形態に係るペン体１ａでは、各インキ導出腔８は、仕切り壁７と外周壁６と連結壁１１とで囲まれた部位となり、各インキ導出腔８内の枝壁１０は、一端を連結壁１１との間に間隔を設けた自由端部１０ａとして構成すると共に、他端が長辺外壁４に接続され、各インキ導出腔８が横断面Ｕ字状に形成される。
なお、図６に示すように、各インキ導出腔８内の枝壁１０を、その一端を連結壁１１に接続する共に、他端を自由端部１０ａとして構成し、外周壁６の長辺外壁４との間に間隔を開けるように形成してもよい。
【００１５】
以上説明したように、本発明の第１及び第２の実施の形態に係る線引き用ペン体１、１ａによれば、横断面略矩形状の外周壁６の内部に、外周壁６の長辺外壁４に沿って分割した複数のインキ導出腔８、８を設けている。そして、これら各インキ導出腔８の内部に、外周壁６の短辺外壁５と略平行に延び、一端に自由端部１０ａを備え、他端が外周壁６の長辺外壁４または連結壁１１に接続される枝壁１０を形成しているので、各インキ導出腔８、８が、インキを導く毛細管作用を営むような構造となり、インキが各インキ導出腔８、８から円滑に紙面に供給されると共に、筆記面３の摩耗量が低減し、筆記の際、鮮明な１本線が筆記可能となる。
また、本発明の第１及び第２の実施の形態に係る線引き用ペン体１、１ａでは、複数のインキ導出腔８、８を設け、その内部に枝壁１０を設けているので、筆記具本体２を筆記面３が上方に向くように逆さにした場合インキがドレンバックし難く、その後元に戻して筆記する際、インキが各インキ導出腔８、８からスムーズに導出して、筆記直後から鮮明な１本線が筆記可能となる。
【図面の簡単な説明】
【００１６】
【図１】図１は、本発明の実施の形態に係る線引き用ペン体の使用状態の斜視図である。
【図２】図２は、本発明の実施の形態に係る線引き用ペン体の先端の斜視図である。
【図３】図３は、本発明の第１の実施の形態に係る線引き用ペン体の横断面図である。
【図４】図４は、本発明の第１の実施の形態に係る線引き用ペン体の別例の横断面図である。
【図５】図５は、本発明の第２の実施の形態に係る線引き用ペン体の横断面図である。
【図６】図６は、本発明の第２の実施の形態に係る線引き用ペン体の別例の横断面図である。
【符号の説明】
【００１７】
１、１ａ  線引き用ペン体，４  長辺外壁，５  短辺外壁，６  外周壁，７  仕切り壁，８  インキ導出腔，１０  枝壁，１０ａ  自由端部，１１  連結壁
【図１】
0004665217.tif 000002
【図２】
0004665217.tif 000003
【図３】
0004665217.tif 000004
【図４】
0004665217.tif 000005
【図５】
0004665217.tif 000006
【図６】
0004665217.tif 000007